【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
周面に孔を形成された円筒状をなす版材と、
前記版材を圧胴に対接させるように当該版材の両端側を支持すると共に回転可能に支持される一対の支持部材と、
前記版材の内周面に当接するように当該版材の内側に配設されて当該版材の内側に蓄えられた液体を前記圧胴の外周面に保持された前記シート状物に当該版材の前記孔を介して供給するスキージと
を有するロータリースクリーン装置を備えている液体供給装置において、
前記圧胴の前記シート状物を保持していない外周面と対向する前記ロータリースクリーン装置の前記版材の少なくとも軸方向の一部が、当該圧胴の外周面に保持された当該シート状物の表面と対向する当該ロータリースクリーン装置の当該版材の部分の厚さに当該シート状物の厚さを加えた厚さとなっている
ことを特徴とする液体供給装置。
【請求項２】
請求項１において、
前記圧胴の外周面に保持された前記シート状物の表面と対向する前記ロータリースクリーン装置の前記版材の部分の厚さに当該シート状物の厚さを加えた厚さの部分を、当該圧胴の軸方向全長にわたって当該シート状物を保持しない外周面と対向する当該ロータリースクリーン装置の当該版胴の部分の回転方向全長にわたって連続して有するように、当該ロータリースクリーン装置の当該版材が形成されている
ことを特徴とする液体供給装置。
【請求項３】
請求項１において、
前記圧胴の外周面に保持された前記シート状物の表面と対向する前記ロータリースクリーン装置の前記版材の部分が、周面に孔を形成された基礎層からなり、
前記圧胴の外周面に保持された前記シート状物の表面と対向する前記ロータリースクリーン装置の前記版材の部分の厚さに当該シート状物の厚さを加えた厚さの部分が、当該シート状物の厚さを有する保護層を前記基礎層上に設けてなるものである
ことを特徴とする液体供給装置。
【請求項４】
請求項１において、
前記圧胴が、前記シート状物の先端側を保持して外周面に当該シート状物を保持させるシート状物保持手段を内装するように外周面に形成された切欠き部に、当該シート状物保持手段での当該シート状物の保持を可能としつつ当該切欠き部の回転方向下流側の端部側と上流側の端部側との間を連絡するカバー部材を有し、
前記圧胴の前記カバー部材と対向する前記ロータリースクリーン装置の前記版材の少なくとも軸方向の一部が、当該圧胴の外周面に保持された当該シート状物の表面と対向する当該ロータリースクリーン装置の当該版材の部分の厚さに、当該シート状物の厚さと、当該圧胴の外周面の軌跡と当該カバー部材の表面との最短距離の長さとを加えた厚さとなっている
ことを特徴とする液体供給装置。
【請求項５】
請求項４において、
前記圧胴の外周面に保持された前記シート状物の表面と対向する前記ロータリースクリーン装置の前記版材の部分の厚さに、当該シート状物の厚さと、当該圧胴の外周面の軌跡と前記カバー部材の表面との最短距離の長さとを加えた厚さの部分を、当該圧胴の前記切欠き部と対向する当該ロータリースクリーン装置の当該版胴の部分の回転方向全長にわたって連続して有するように、当該ロータリースクリーン装置の当該版材が形成されている
ことを特徴とする液体供給装置。
【請求項６】
請求項４において、
前記圧胴の外周面に保持された前記シート状物の表面と対向する前記ロータリースクリーン装置の前記版材の部分が、周面に孔を形成された基礎層からなり、
前記圧胴の外周面に保持された前記シート状物の表面と対向する前記ロータリースクリーン装置の前記版材の部分の厚さに当該シート状物の厚さを加えた厚さの部分が、当該シート状物の厚さを有する保護層を前記基礎層上に設けてなり、
前記圧胴の外周面に保持された前記シート状物の表面と対向する前記ロータリースクリーン装置の前記版材の部分の厚さに、当該シート状物の厚さと、当該圧胴の外周面の軌跡と前記カバー部材の表面との最短距離の長さとを加えた厚さの部分が、当該圧胴の外周面の軌跡と当該カバー部材の表面との最短距離の長さの厚さを有する補強層を前記基礎層上の前記保護層上に設けてなるものである
ことを特徴とする液体供給装置。
【請求項７】
周面に孔を形成された円筒状をなす版材と、
前記版材を圧胴に対接させるように当該版材の両端側を支持すると共に回転可能に支持される一対の支持部材と、
前記版材の内周面に当接するように当該版材の内側に配設されて当該版材の内側に蓄えられた液体を前記圧胴の外周面に保持された前記シート状物に当該版材の前記孔を介して供給するスキージと
を有するロータリースクリーン装置を備えている液体供給装置において、
前記ロータリースクリーン装置の前記スキージが前記版材の径方向に沿って移動しないように、当該ロータリースクリーン装置の前記版材の外周面が形成されている
ことを特徴とする液体供給装置。
【手続補正２】
【補正対象書類名】明細書
【補正対象項目名】０００９
【補正方法】変更
【補正の内容】
【０００９】
また、本発明に係る液体供給装置は、上述した液体供給装置において、前記圧胴の外周面に保持された前記シート状物の表面と対向する前記ロータリースクリーン装置の前記版材の部分の厚さに当該シート状物の厚さを加えた厚さの部分を、当該圧胴の軸方向全長にわたって当該シート状物を保持しない外周面と対向する当該ロータリースクリーン装置の当該版胴の部分の回転方向全長にわたって連続して有するように、当該ロータリースクリーン装置の当該版材が形成されていることを特徴とする。
【手続補正３】
【補正対象書類名】明細書
【補正対象項目名】００１２
【補正方法】変更
【補正の内容】
【００１２】
また、本発明に係る液体供給装置は、上述した液体供給装置において、前記圧胴の外周面に保持された前記シート状物の表面と対向する前記ロータリースクリーン装置の前記版材の部分の厚さに、当該シート状物の厚さと、当該圧胴の外周面の軌跡と前記カバー部材の表面との最短距離の長さとを加えた厚さの部分を、当該圧胴の前記切欠き部と対向する当該ロータリースクリーン装置の当該版胴の部分の回転方向全長にわたって連続して有するように、当該ロータリースクリーン装置の当該版材が形成されていることを特徴とする。
【手続補正４】
【補正対象書類名】明細書
【補正対象項目名】００４５
【補正方法】変更
【補正の内容】
【００４５】
このようにしてスクリーン２０２の原型を製造したら、当該スクリーン２０２のすべての前記小孔２０２ｄを製版用の感光材２０２ｅで塞ぐように当該スクリーン２０２の外周面に当該感光材２０２ｅを設けた後（図９（ｉ）参照）、前記圧胴１００に保持された前記枚葉紙１と対向したときに当該枚葉紙１を前記基礎層２０２ａに当接させるように当該枚葉紙１を嵌め込ませるロ字状の切欠き部２０２ｂａ部分の基礎層２０２ａ上を目的とする絵柄で露光して当該絵柄に対応した部分の感光材２０２ｅを除去することにより（以上、絵柄孔形成工程）、先に説明した形状及び構造をなすスクリーン２０２を製造することができる。
【手続補正５】
【補正対象書類名】明細書
【補正対象項目名】００６１
【補正方法】変更
【補正の内容】
【００６１】
ここで、前述した第一番目の実施形態においては、前記スクリーン２０２を前記ギャップガード１０５上で転動させるように前記圧胴１００の外周面の軌跡と当該ギャップガード１０５の表面との最短距離の長さの厚さを有する補強層２０２ｃを適用するようにしたが、上述の他の実施形態においては、枚葉紙１を保持する外周面の軌跡に合わせるように前記切欠き部１００ａにカバー部材であるギャップガード１１５を設けた圧胴１１０を用いることにより、スクリーン２１２を当該ギャップガード１１５上で転動させるようにする。すなわち、前述した第一番目の実施形態においては、ギャップガード１０５の表面（スクリーン２０２の案内面）を圧胴１００の外周面よりも径方向内側に位置させるように前記切欠き部１００ａに設けるようにしたが、上述の他の実施形態においては、図１０に示すように、ギャップガード１１５の表面（スクリーン２１２の案内面）を圧胴１１０の外周面と同一の曲率で当該外周面と連続させるように前記切欠き部１００ａに設けるのである。